(57)【要約】【課題】室内のコンクリートの打設において、フォークリフトなどからの衝撃を吸収し、亀裂の発生、劣化などを抑制することができる室内用コンクリート継目構造体を提供する。【解決手段】室内用コンクリート継目構造体１は、第１の本体部１０と第２の本体部２０と緩衝部３０を有しており、第１の上部１３と第２の上部２３の境目が隙間Ｓを有する凹凸状に形成されている。フォークリフトなどが室内用コンクリート継目構造体１の上を通過するとき、第１の上部１３と第２の上部２３が、タイヤの接地面となり、タイヤからの衝撃が分散される構成となっている。【選択図】図１
0003214521.tif 000002
【実用新案登録請求の範囲】
【請求項１】
室内に施工されるコンクリート打設の継目として用いられる室内用コンクリート継目構造体であって、
板状の金属で形成された第１の本体部と、前記第１の本体部と隙間を有し対応するように形成された板状の金属で形成された第２の本体部と、前記第１の本体部と前記第２の本体部の間に配置され前記第１の本体部と前記第２の本体部と一体的になるように固定されている緩衝部と、を有し、
前記第１の本体部は、第１の支持部と第１の底部と第１の上部を有し、前記第２の本体部は、第２の支持部と第２の底部と第２の上部とを、有し、
前記緩衝部は、前記第１の支持部の内側と前記第２の支持部の内側の間に配置され、
前記第１の底部は、前記第１の支持部の下方端部と略直角になるように外側に向かって一体的に形成され、
前記第２の底部は、前記第２の支持部の下方端部と略直角になるように外側に向かって一体的に形成され、
前記第１の上部は、前記第１の支持部の上方端部と略直角になるように内側に向かって一体的に形成され、
前記第２の上部は、前記第１の支持部の上方端部と略直角になるように内側に向かって一体的に形成され、
前記第１の上部の内側端部は、第１の凹部と第１の凸部が交互になるように連続的に形成され、
前記第２の上部の内側端部は、第２の凹部と第２の凸部が交互になるように連続的に形成され、
前記第１の凹部と前記第２の凸部が前記隙間を有し、対向するように形成され、前記第１の凸部と前記第２の凹部が前記隙間を有し、対向するように形成されていることを特徴とする室内用コンクリート継目構造体。
【請求項２】
前記第１の本体部と前記第２の本体部は、メッキ加工された鉄材及びステンレス材で形成されており、前記緩衝部は、ゴムで形成されていることを特徴とする請求項１に記載の室内用コンクリート継目構造体
【請求項３】
前記緩衝部は、前記第１の本体部と前記第２の本体部と一体的になるようにボルトを用いて固定されており、
前記第１の本体部と前記第２の本体部は、溝状に施工されたコンクリートの継目部分に配置され、前記継目部分にアンカーで固定されるように構成されていることを特徴とする請求項２に記載の室内用コンクリート継目構造体。
【請求項４】
長手方向の長さの異なる形状で複数形成され、及びコーナー用としての形状で形成されており、これらを組み合わせて施工されるように構成されていることを特徴とする請求項３に記載の室内用コンクリート継目構造体
【考案の詳細な説明】
【技術分野】
【０００１】
本考案は、室内用コンクリート継目構造体に関する。
【背景技術】
【０００２】
配送センター、倉庫などの室内のフロアは、コンクリートで打設されているが、フォークリフトなどの走行による振動、機械振動、地震などにより、コンクリートがひび割れを起こし亀裂が発生し変形し、その結果劣化がすすむという問題があり、また亀裂に害虫が侵入するという問題も発生している。
【考案の概要】
【考案が解決しようとする課題】
【０００３】
上記のとおり、従来、室内に打設されたコンクリートに亀裂が発生するなどの問題が発生しており、亀裂の発生を抑制し、そして害虫の侵入のないようにする施工が求められている。そこで本考案は、このような課題を解決するためになされたもので、室内のコンクリートの打設において、フォークリフトなどからの衝撃を吸収し、亀裂の発生、劣化などを抑制することができる室内用コンクリート継目構造体を提供するものである。
【課題を解決するための手段】
【０００４】
上記課題を解決するために、本考案に係る室内用コンクリート継目構造体は、室内に施工されるコンクリート打設の継目として用いられる室内用コンクリート継目構造体であって、板状の金属で形成された第１の本体部と、前記第１の本体部と隙間を有し対応するように形成された板状の金属で形成された第２の本体部と、前記第１の本体部と前記第２の本体部の間に配置され前記第１の本体部と前記第２の本体部と一体的になるように固定されている緩衝部と、を有し、前記第１の本体部は、第１の支持部と第１の底部と第１の上部を有し、前記第２の本体部は、第２の支持部と第２の底部と第２の上部とを、有し、前記緩衝部は、前記第１の支持部の内側と前記第２の支持部の内側の間に配置され、前記第１の底部は、前記第１の支持部の下方端部と略直角になるように外側に向かって一体的に形成され、前記第２の底部は、前記第２の支持部の下方端部と略直角になるように外側に向かって一体的に形成され、前記第１の上部は、前記第１の支持部の上方端部と略直角になるように内側に向かって一体的に形成され、前記第２の上部は、前記第２の支持部の上方端部と略直角になるように内側に向かって一体的に形成され、前記第１の上部の内側端部は、第１の凹部と第１の凸部が交互になるように連続的に形成され、前記第２の上部の内側端部は、第２の凹部と第２の凸部が交互になるように連続的に形成され、前記第１の凹部と前記第２の凸部が前記隙間を有し、対向するように形成され、前記第１の凸部と前記第２の凹部が前記隙間を有し、対向するように形成されていることを特徴とする。
【０００５】
本考案に係る室内用コンクリート継目構造体の態様について、前記第１の本体部と前記第２の本体部は、メッキ加工された鉄材及びステンレス材で形成されており、前記緩衝部は、ゴムで形成されていることが好ましい。
【０００６】
本考案に係る室内用コンクリート継目構造体の態様について、前記緩衝部は、前記第１の本体部と前記第２の本体部と一体的になるようにボルトを用いて固定されており、前記第１の本体部と前記第２の本体部は、溝状に施工されたコンクリートの継目部分に配置され、前記継目部分にアンカーで固定されるように構成されていることが好ましい。
【０００７】
本考案に係る室内用コンクリート継目構造体の態様について、長手方向の長さの異なる形状で複数形成され、及びコーナー用としての形状で形成されており、これらを組み合わせて施工されるように構成されていることが好ましい。
【考案の効果】
【０００８】
本考案によれば、室内のコンクリートの打設において、フォークリフトなどからの衝撃を吸収し、亀裂の発生、劣化などを抑制することができる室内用コンクリート継目構造体を提供することができる。
【図面の簡単な説明】
【０００９】
【図１】実施形態の室内用コンクリート継目構造体を示す模式図である。
【図２】室内用コンクリート継目構造体の一例を示す参考図である。
【図３】室内用コンクリート継目構造体を用いた施工後の一例を示す参考図である。
【考案を実施するための形態】
【００１０】
以下、本考案の実施形態を、図１から図３を用いて説明する。図１（ａ）は、室内用コンクリート継目構造体１を横から見た図であり、図１（ｂ）は、上からみた図である。
【００１１】
実施形態の室内に施工されるコンクリート打設の継目として用いられる室内用コンクリート継目構造体１は、板状の金属で形成された第１の本体部１０と、第１の本体部１０と予め定められた間隔の隙間Ｓを有し対応するように形成された板状の金属で形成された第２の本体部２０を有している。上記の隙間Ｓの間隔は、例えば、２０ｍｍであるが、適宜最適な間隔にすればよい。
【００１２】
緩衝部３０は、第１の本体部１０と第２の本体部２０の間に配置され、第１の本体部１０と第２の本体部２０と一体的になるように固定されている。この例において、第１の本体部１０と第２の本体部２０は、メッキ加工された鉄材及びステンレス材で形成されており、緩衝部３０は、ゴムで形成されているが、これに限定されるものではない。
【００１３】
第１の本体部１０は、第１の支持部１１と第１の底部１２と第１の上部１３を有し、第２の本体部２０は、第２の支持部２１と第２の底部２２と第２の上部２３を有している。緩衝部３０は、第１の支持部１１の内側と第２の支持部２１の内側の間に配置され、この例において、一体的になるようにボルトを用いて固定されている。
【００１４】
第１の底部１２は、第１の支持部１１の下方端部と略直角になるように外側に向かって一体的に形成されており、また第２の底部２２は、第２の支持部２１の下方端部と略直角になるように外側に向かって一体的に形成されている。
【００１５】
第１の上部１３は、第１の支持部１１の上方端部と略直角になるように内側に向かって一体的に形成されており、また第２の上部２３は、第１の支持部２１の上方端部と略直角になるように内側に向かって一体的に形成されている。
【００１６】
第１の上部１３の内側端部は、第１の凹部１３ａと第１の凸部１３ｂが交互になるように連続的に形成されており、また第２の上部２３の内側端部は、第２の凹部２３ａと第２の凸部２３ｂが交互になるように連続的に形成されている。
【００１７】
第１の凹部１３ａと第２の凸部２３ｂは、隙間Ｓを有し、対向するように形成されており、また、第１の凸部１３ｂと第２の凹部２３ａは、隙間Ｓを有し、対向するように形成されている。
【００１８】
第１の上部１３と第２の上部２３の境目が、上記のとおり凹凸状となっており、フォークリフトなどが通過するとき、第１の上部１３と第２の上部２３が、タイヤの接地面となり、タイヤからの衝撃が分散される構成となっている。言い換えれば、タイヤは常に第１の上部１３と第２の上部２３に当接する構造であり、コンクリートに対する衝撃を軽減することができる。なお、このような効果を有する凹凸状は、山部分の角度を最適なものとするように適宜設計するとよい。
【００１９】
上記の室内用コンクリート継目構造体１は、溝状に施工されたコンクリートの継目部分に配置されるように構成されている。つまり第１の底部１２と第２の底部２２は、コンクリートの継目部分に配置され、コンクリートの継目部分にボルトで固定されるように構成されている。
【００２０】
また、室内用コンクリート継目構造体１は、長手方向の長さの異なる形状で複数形成されてもよく、及びコーナー用の形状となるように形成されてもよく、これらを組み合わせて施工されるように構成されている。
【００２１】
例として、高さ・奥行・横幅において、７５ｍｍ・２８５ｍｍ・１００ｍｍ、７５ｍｍ・２８５ｍｍ・１５０ｍｍ、７５ｍｍ・２８５ｍｍ・２５０ｍｍ、７５ｍｍ・２８５ｍｍ・７５０ｍｍ、及びコーナー用として７５ｍｍ・２８５ｍｍ・２８５ｍｍのそれぞれを用いて組み合わせて施工すればよい。なお、この場合、板状の金属の幅は、１２ｍｍとしており、また、第１の上部１３と第２の上部２３のそれぞれの凸状の形態は、奥行方向の幅が３０ｍｍ、先端部分の横幅が３０ｍｍ、凹状の部分と連続する部分の横幅が９０ｍｍで形成されおり、略４５度の傾斜であるが、これに限定されず適宜最適な値とすればよい。
【００２２】
ここで、倉庫などのフロアに打設されているコンクリートに、室内用コンクリート継目構造体１を施工する一例を説明する。まず、上記の形状の異なる複数の室内用コンクリート継目構造体１を用いて施工する領域のコンクリートの上部部分を剥離する。次に、上記の領域の継目とする周辺部分に、室内用コンクリート継目構造体１を設置し、上記の領域に鉄筋を施工しコンクリートを打設する。次に、隙間Ｓに樹脂を充填、その後、施工されたコンクリート面と同一面になるようにシール加工する。図３は、上記の施工後の一例を示す参考図である。
【００２３】
このような構成の室内用コンクリート継目構造体１の特徴としては、地震・機械振動による亀裂発生を軽減、例えば、伸縮幅が０から３６ｍｍに対応できる遊間伸縮性を有し、フェイスプレートの遊間を凹部及び凸部からなる波形構造にすることで、目地の段差、摩耗の発生を抑制できる。また、プラッターフォークリフトなどの安定した走行性を確保でき、走行面は、例えば、鋼製でシンプルな構造のため優れた耐久性を有しており、施工において弾性シール及びパッキンを行うことで優れた止水性能を有している。さらに、施工面において、単純な構造及び軽量であることより、新設問わず良好に行うことができ、アンカーボルトを用いて現場状況に応じた対応を行うことができる。以下、室内のコンクリートの打設の継目として室内用コンクリート継目構造体１を用いた施工による効果を列記する。
【００２４】
フロアの段差を解消することができる。つまり段差のある２つのフロアも室内用コンクリート継目構造体１を用いてつなげばフラットにすることができ、スムーズな動線を確保でき、動作効率の向上を実現できる。
【００２５】
振動・衝撃を吸収することができる。例えばプレス機をぐるりと囲むように室内用コンクリート継目構造体１を設置することにより、振動を軽減することだけではなく、床のひび割れなどによるコンクリートの劣化を防止することができる。
【００２６】
床のレベルを調整することができる。室内用コンクリート継目構造体１の設置時に、床高さのレベル調整の実施も行うことができ、プラッター・自動搬送機などにも対応可能となる。
【００２７】
メンテナンスが簡単である。つまりフロア全体の修繕ではなく、結合部のシーリングを補修すればよく、メンテナンスの回数の激減及び低コスト化が実現できる。
【００２８】
また、様々な用途・業種に対応することができる。例えば、食品工場用防蟻フォーム、冷凍室入口の寒暖差による劣化防止などに対応することができ、特に、ひび割れを抑制し、害虫の侵入を防止することができる顕著な効果を奏する。
【００２９】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３０】
また、本考案の室内用コンクリート継目構造体の大きさや形状、素材の厚さ、重さなどについては多様な実施形態が可能であり、それらについて本実施形態と異なる形態による実施は、本考案の技術的範囲に含まれる。
【符号の説明】
【００３１】
１        室内用コンクリート継目構造体
１０      第１の本体部
１１      第１の支持部
１２      第１の底部
１２ａ    アンカー用孔
１３      第１の上部
１３ａ    第１の凹部
１３ｂ    第１の凸部
２０      第２の本体部
２１      第２の支持部
２２      第２の底部
２２ａ    アンカー用孔
２３      第２の上部
２３ａ    第２の凹部
２３ｂ    第２の凸部
３０      緩衝部
Ｓ        隙間
【図１】
0003214521.tif 000003
【図２】
0003214521.tif 000004
【図３】
0003214521.tif 000005